【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
芯体と 
前記芯体の外周面に、螺旋状に配置された弾性層と 
を有し 
前記弾性層の螺旋幅方向中央部における厚みをＴａ（ｍｍ）とし、前記弾性層の螺旋幅方向両端部における厚みをＴｂ（ｍｍ）としたとき、下記条件式（Ａ１）〜（Ａ２）を満たす清掃部材。
・条件式（Ａ１）：１＜Ｔｂ／Ｔａ＜１．７５
・条件式（Ａ２）：０．５＜Ｔａ＜４．０
【請求項２】
下記条件式（Ｂ１）〜（Ｂ２）を満たす請求項１に記載の清掃部材。
・条件式（Ｂ１）： １．０２＜Ｔｂ／Ｔａ＜１．５
・条件式（Ｂ２）：１．０＜Ｔａ＜３．０
【請求項３】
前記弾性層の螺旋角度が１０°以上６５°以下、前記弾性層の螺旋幅が３ｍｍ以上２５ｍｍ以下である請求項１又は２に記載の清掃部材。
【請求項４】
前記弾性層における前記芯体の軸方向中央部の螺旋ピッチが、前記芯体の軸方向両端部の螺旋ピッチよりも小さい請求項１〜３のいずれか１項に記載の清掃部
材。 
【請求項５】
前記弾性層が、直線状の中央部と、前記中央部の長手方向の一端から幅方向の一方側に
向かって屈曲又は湾曲して連結された第１端部と、前記中央部の長手方向の他端から幅方
向の他方側に向かって屈曲又は湾曲して連結された第２端部と、で構成された短冊状の部
材を前記芯体の軸方向の一端から他端にかけて巻き付けて設けられている請求項４に記載
の清掃部材。 
【請求項６】
前記弾性層が、シリコーンオイル以外の整泡剤を用いたエーテル系発泡ポリウレタンを
含んで構成される請求項１〜５のいずれか１項に記載の清掃部材。
【請求項７】
被帯電体を帯電させる帯電部材と、
前記帯電部材の表面に接触して配置され、当該帯電部材の表面を清掃する清掃部材であって、請求項１〜６のいずれか１項に記載の清掃部材と、
を備える帯電装置。
【請求項８】
請求項７に記載の帯電装置を少なくとも備え、
画像形成装置に脱着されるプロセスカートリッジ。
【請求項９】
像保持体と、
前記像保持体の表面を帯電させる帯電手段であって、請求項７に記載の帯電装置を有する帯電手段と、
帯電された前記像保持体表面に潜像を形成する潜像形成手段と、
前記像保持体に形成された前記潜像をトナーによって現像しトナー像とする現像手段と、
前記トナー像を被転写体に転写する転写手段と、
を備える画像形成装置。
【請求項１０】
被清掃部材と、
前記被清掃部材の表面に接触して配置され、前記被清掃部材の表面を清掃する清掃部材であって、請求項１〜６のいずれか１項に記載の清掃部材と、
を備える画像形成装置用のユニット。
【請求項１１】
請求項１０に記載の画像形成装置用のユニットを少なくとも備え、
画像形成装置に脱着されるプロセスカートリッジ。
【請求項１２】
請求項１０に記載の画像形成装置用のユニットを備える画像形成装置。
【手続補正２】
【補正対象書類名】明細書
【補正対象項目名】発明の名称
【補正方法】変更
【補正の内容】
【発明の名称】清掃部材、帯電装置、画像形成装置用のユニット、プロセスカートリッジ、及び画像形成装置
【手続補正３】
【補正対象書類名】明細書
【補正対象項目名】０００１
【補正方法】変更
【補正の内容】
【０００１】
本発明は、清掃部材、帯電装置、画像形成装置用のユニット、プロセスカートリッジ、及び画像形成装置に関する。
【手続補正４】
【補正対象書類名】明細書
【補正対象項目名】０００６
【補正方法】変更
【補正の内容】
【０００６】
本発明の課題は、下記条件式（Ａ１）〜（Ａ２）を満たさない場合に比べ、清掃能力に優れた清掃部材を提供することである。
【手続補正５】
【補正対象書類名】明細書
【補正対象項目名】０００７
【補正方法】変更
【補正の内容】
【０００７】
上記課題は、以下の手段により解決される。即ち、
請求項１に係る発明は、
芯体と、
前記芯体の外周面に、螺旋状に配置された弾性層と、
を有し、
前記弾性層の螺旋幅方向中央部における厚みをＴａ（ｍｍ）とし、前記弾性層の螺旋幅方向両端部における厚みをＴｂ（ｍｍ）としたとき、下記条件式（Ａ１）〜（Ａ２）を満たす清掃部材。
・条件式（Ａ１）：１＜Ｔｂ／Ｔａ＜１．７５
・条件式（Ａ２）：０．５＜Ｔａ＜４．０
【手続補正６】
【補正対象書類名】明細書
【補正対象項目名】０００８
【補正方法】変更
【補正の内容】
【０００８】
請求項２に係る発明は、
下記条件式（Ｂ１）〜（Ｂ２）を満たす請求項１に記載の清掃部材。
・条件式（Ｂ１）：１.０２＜Ｔｂ／Ｔａ＜１．５
・条件式（Ｂ２）：１．０＜Ｔａ＜３．０
【手続補正７】
【補正対象書類名】明細書
【補正対象項目名】０００９
【補正方法】変更
【補正の内容】
【０００９】
請求項３に係る発明は、
前記弾性層の螺旋角度が１０°以上６５°以下、前記弾性層の螺旋幅が３ｍｍ以上２５ｍｍ以下である請求項１又は２に記載の清掃部材。
【手続補正８】
【補正対象書類名】明細書
【補正対象項目名】００１０
【補正方法】変更
【補正の内容】
【００１０】
請求項４に係る発明は、
前記弾性層における前記芯体の軸方向中央部の螺旋ピッチが、前記芯体の軸方向両端の螺旋ピッチよりも小さい請求項１〜３のいずれか１項に記載の清掃部材。
【手続補正９】
【補正対象書類名】明細書
【補正対象項目名】００１１
【補正方法】変更
【補正の内容】
【００１１】
請求項５に係る発明によれば、
前記弾性層が、直線状の中央部と、前記中央部の長手方向の一端から幅方向の一方側に向かって屈曲又は湾曲して連結された第１端部と、前記中央部の長手方向の他端から幅方向の他方側に向かって屈曲又は湾曲して連結された第２端部と、で構成された短冊状の部材を前記芯体の軸方向の一端から他端にかけて巻き付けて設けられている請求項４に記載の清掃部材。
【手続補正１０】
【補正対象書類名】明細書
【補正対象項目名】００１２
【補正方法】変更
【補正の内容】
【００１２】
請求項６に係る発明は、
前記弾性層が、シリコーンオイル以外の整泡剤を用いたエーテル系発泡ポリウレタンを含んで構成される請求項１〜５のいずれか１項に記載の清掃部材。
【手続補正１１】
【補正対象書類名】明細書
【補正対象項目名】００１３
【補正方法】変更
【補正の内容】
【００１３】
請求項７に係る発明は、
被帯電体を帯電させる帯電部材と、
前記帯電部材の表面に接触して配置され、当該帯電部材の表面を清掃する清掃部材であって、請求項１〜６のいずれか１項に記載の清掃部材と、
を備える帯電装置。
【手続補正１２】
【補正対象書類名】明細書
【補正対象項目名】００２０
【補正方法】変更
【補正の内容】
【００２０】
【図１】本実施形態に係る清掃部材を示す概略斜視図である。
【図２】本実施形態に係る清掃部材の概略側面図である。
【図３】本実施形態に係る清掃部材における弾性層の肉厚を示す拡大断面図である。
【図４】本実施形態に係る清掃部材における弾性層の肉厚の他の例を示す拡大断面図である。
【図５】本実施形態に係る清掃部材の製造方法の一例を示す工程図である。
【図６】他の本実施形態に係る清掃部材を示す概略斜視図である。
【図７】他の本実施形態に係る清掃部材の製造方法の一例を概略平面図である。
【図８】本実施形態に係る電子写真画像形成装置を示す概略構成図である。
【図９】本実施形態に係るプロセスカートリッジを示す概略構成図である。
【図１０】図８及び図９における帯電部材（帯電装置）周辺部分を拡大した概略構成図である。
【手続補正１３】
【補正対象書類名】明細書
【補正対象項目名】００２２
【補正方法】変更
【補正の内容】
【００２２】
（清掃部材）
図１は、本実施形態に係る清掃部材を示す概略斜視図である。図２は、本実施形態に係る清掃部材の概略側面図である。図３は、本実施形態に係る清掃部材における弾性層の肉厚を示す拡大断面図である。図４は、本実施形態に係る清掃部材における弾性層の肉厚の他の例を示す拡大断面図である。
なお、図３及び図４は、図１のＡ−Ａ断面図、つまり、弾性層の螺旋方向に対して直交方向に沿った断面図である。
【手続補正１４】
【補正対象書類名】明細書
【補正対象項目名】００２３
【補正方法】変更
【補正の内容】
【００２３】
本実施形態に係る清掃部材１００（以下、単に清掃部材と称する）は、図１〜図３に示すように、ロール状の部材であり、芯体としてシャフト１００Ａと、弾性層１００Ｂと、を備えたロール状の部材である。弾性層１００Ｂは、シャフト１００Ａの表面に螺旋状に配置されている。具体的には、弾性層１００Ｂは、例えば、シャフト１００Ａの一端から他端にかけて、シャフト１００Ａの軸を螺旋軸とし、間隔を持って螺旋状に巻き回された状態で配置されている。
そして、弾性層１００Ｂは、弾性層１００Ｂの螺旋幅方向中央部における厚みをＴａ（
ｍｍ）とし、弾性層１００Ｂの螺旋幅方向両端部における厚みをＴｂ（ｍｍ）としたとき、下記条件式（Ａ１）〜（Ａ２）を満たしている（図３参照）。
・条件式（Ａ１）：１＜Ｔｂ／Ｔａ＜１．７５
・条件式（Ａ２）：０．５＜Ｔａ＜４．０